【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
支持体と、感光層とをこの順に有する電子写真感光体において、
該電子写真感光体の表面層が、
（α）末端にシロキサン構造を有さないポリカーボネート樹脂、および末端にシロキサン構造を有さないポリエステル樹脂からなる群より選択される少なくとも１種の樹脂、
（β）末端にシロキサン構造を有するポリカーボネート樹脂、末端にシロキサン構造を有するポリエステル樹脂、および末端にシロキサン構造を有するアクリル樹脂からなる群より選択される少なくとも１種の樹脂、および、
（γ）炭酸プロピレン、γ−ブチロラクトン、δ−バレロラクトン、およびε−カプロラクトンからなる群より選択される少なくとも１種の化合物
を含有することを特徴とする電子写真感光体。
【請求項２】
前記（γ）の含有量が、前記表面層の全質量に対して、０．００１質量％以上１質量％以下である請求項１に記載の電子写真感光体。
【請求項３】
前記末端にシロキサン構造を有さないポリカーボネート樹脂が下記式（Ａ）で示される繰り返し構造単位を有するポリカーボネート樹脂Ａである請求項１または２に記載の電子写真感光体。
【化１】
2014137561.tif 000001
（式（Ａ）中、Ｒ２１〜Ｒ２４は、それぞれ独立に、水素原子またはメチル基を示す。Ｘ１は、単結合、シクロヘキシリデン基、または下記式（Ｃ）で示される構造を有する２価の基を示す。）
【化２】
2014137561.tif 000002
（式（Ｃ）中、Ｒ４１およびＲ４２は、それぞれ独立に、水素原子、メチル基、またはフェニル基を示す。）
【請求項４】
前記末端にシロキサン構造を有さないポリエステル樹脂が下記式（Ｂ）で示される繰り返し構造単位を有するポリエステル樹脂Ｂである請求項１または２に記載の電子写真感光体。
【化３】
2014137561.tif 000003
（式（Ｂ）中、Ｒ３１〜Ｒ３４は、それぞれ独立に、水素原子またはメチル基を示す。Ｘ２は、単結合、シクロヘキシリデン基、または下記式（Ｃ）で示される構造を有する２価の基を示す。Ｙ１は、ｍ−フェニレン基、ｐ−フェニレン基、または２つのｐ−フェニレン基が酸素原子を介して結合した２価の基を示す。）
【化４】
2014137561.tif 000004
（式（Ｃ）中、Ｒ４１およびＲ４２は、それぞれ独立に、水素原子、メチル基、またはフェニル基を示す。）
【請求項５】
前記末端にシロキサン構造を有するポリカーボネート樹脂が下記式（Ａ’）で示される繰り返し構造単位と下記式（Ｄ）で示される末端構造を有するポリカーボネート樹脂Ｄである請求項１から４のいずれか一項に記載の電子写真感光体。
【化５】
2014137561.tif 000005
（式（Ａ’）中、Ｒ２５〜Ｒ２８は、それぞれ独立に、水素原子またはメチル基を示す。Ｘ３は、単結合、シクロヘキシリデン基、または下記式（Ｃ’）で示される構造を有する２価の基を示す。）
【化６】
2014137561.tif 000006
（式（Ｃ’）中、Ｒ４３およびＲ４４は、それぞれ独立に、水素原子、メチル基、またはフェニル基を示す。）
【化７】
2014137561.tif 000007
（式（Ｄ）中、ａおよびｂは、括弧内の構造の繰り返し数を示し、ポリカーボネート樹脂Ｄに対するａの平均値は２０以上１００以下、ｂの平均値は１以上１０以下である。）
【請求項６】
前記末端にシロキサン構造を有するポリエステル樹脂が下記式（Ｂ’）で示される繰り返し構造単位と下記式（Ｄ）で示される末端構造を有するポリエステル樹脂Ｅである請求項１から４のいずれか一項に記載の電子写真感光体。
【化８】
2014137561.tif 000008
（式（Ｂ’）中、Ｒ３５〜Ｒ３８は、それぞれ独立に、水素原子またはメチル基を示す。Ｘ４は、単結合、シクロヘキシリデン基、または下記式（Ｃ’）で示される構造を有する２価の基を示す。Ｙ２は、ｍ−フェニレン基、ｐ−フェニレン基、または２つのｐ−フェニレン基が酸素原子を介して結合した２価の基を示す。）
【化９】
2014137561.tif 000009
（式（Ｃ’）中、Ｒ４３およびＲ４４は、それぞれ独立に、水素原子、メチル基、またはフェニル基を示す。）
【化１０】
2014137561.tif 000010
（式（Ｄ）中、ａおよびｂは、括弧内の構造の繰り返し数を示し、ポリエステル樹脂Ｅに対するａの平均値は２０以上１００以下、ｂの平均値は１以上１０以下である。）
【請求項７】
前記末端にシロキサン構造を有するアクリル樹脂が下記式（Ｆ−１）で示される繰り返し構造単位と下記式（Ｆ−２）で示される繰り返し構造単位を有するアクリル樹脂Ｆである、または下記式（Ｆ−１）で示される繰り返し構造単位と下記式（Ｆ−３）で示される繰り返し構造単位を有するアクリル樹脂Ｆである請求項１から４のいずれか一項に記載の電子写真感光体。
【化１１】
2014137561.tif 000011
（式（Ｆ−１）中、Ｒ５１は、水素、またはメチル基を示す。ｃは、括弧内の繰り返し数を示し、アクリル樹脂Ｆに対するｃの平均値は、０以上５以下である。Ｒ５２〜Ｒ５４は、それぞれ独立に、下記式（Ｆ−１−２）、メチル基、メトキシ基、またはフェニル基を示す。）
【化１２】
2014137561.tif 000012
（式（Ｆ−１−２）中、ｄは、括弧内の繰り返し数を示し、アクリル樹脂Ｆに対するｄの平均値は１０以上５０以下である。Ｒ５５は、水酸基またはメチル基を示す。）
【化１３】
2014137561.tif 000013
（式（Ｆ−３）中、Ｒ５６は水素、メチル基またはフェニル基を示す。ｅは、０または１である。
【請求項８】
前記表面層における前記（β）の含有量が、前記（α）の全質量に対して、１質量％以上５０質量％以下である請求項１から７のいずれか一項に記載の電子写真感光体。
【請求項９】
請求項１から８のいずれか一項に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項１０】
請求項１から８のいずれか一項に記載の電子写真感光体、帯電手段、露光手段、現像手段、および転写手段を有することを特徴とする電子写真装置。
【手続補正２】
【補正対象書類名】明細書
【補正対象項目名】０００９
【補正方法】変更
【補正の内容】
【０００９】
本発明は、支持体と、感光層とをこの順に有する電子写真感光体において、
該電子写真感光体の表面層が、
（α）末端にシロキサン構造を有さないポリカーボネート樹脂、および末端にシロキサン構造を有さないポリエステル樹脂からなる群より選択される少なくとも１種の樹脂、
（β）末端にシロキサン構造を有するポリカーボネート樹脂、末端にシロキサン構造を有するポリエステル樹脂、および末端にシロキサン構造を有するアクリル樹脂からなる群より選択される少なくとも１種の樹脂、および、
（γ）炭酸プロピレン、γ−ブチロラクトン、δ−バレロラクトン、およびε−カプロラクトンからなる群より選択される少なくとも１種の化合物
を含有することを特徴とする電子写真感光体に関する。
【手続補正３】
【補正対象書類名】明細書
【補正対象項目名】００１４
【補正方法】変更
【補正の内容】
【００１４】
本発明の電子写真感光体は、上記の通り、支持体と、感光層とをこの順に有する電子写真感光体において、該電子写真感光体の表面層が、その構成要素として、上記（α）（構成要素（α））、上記（β）（構成要素（β））および上記（γ）（構成要素（γ））を含有することを特徴とする電子写真感光体である。以下、上記（α）を「樹脂α」とも表記し、上記（β）を「樹脂β」とも表記し、上記（γ）を「化合物γ」とも表記する。
【手続補正４】
【補正対象書類名】明細書
【補正対象項目名】０１０２
【補正方法】変更
【補正の内容】
【０１０２】
次に、上記式（ＣＴＭ−１）で示される化合物（電荷輸送物質）５．６部、上記式（ＣＴＭ−２）で示される化合物（電荷輸送物質）２．４部、ポリカーボネート樹脂Ａ（１）（樹脂Ａ（１））１０部、および、ポリカーボネート樹脂（Ｄ１）（樹脂（Ｄ１））０．３６部、炭酸プロピレン２．５部、ジメトキシメタン２０部、および、ｏ−キシレン３０部を混合し、溶解液を調製し、これを電荷輸送層用塗布液とした。
【手続補正５】
【補正対象書類名】明細書
【補正対象項目名】０１０３
【補正方法】変更
【補正の内容】
【０１０３】
この電荷輸送層用塗布液を前記電荷発生層上に浸漬塗布し、これを１２５℃で３０分間乾燥させることによって、膜厚が１５μｍの電荷輸送層を形成した。形成された電荷輸送層を、ガスクロマトグラフィーを用いて上述の測定方法で炭酸プロピレンの含有量を測定したところ、０．０２８質量％であった。
このようにして、電荷輸送層が表面層である電子写真感光体を製造した。